(57)【要約】【課題】  靴下の新旧の判読や組み合わせの判別が容易にでき、触手による判読も可能な靴下の提供。【解決手段】  靴下の一部分に刺繍された数字３を形成し、異なる数字３が付された靴下も複数、提供することにより、数字３による新旧等の判別、組み合わせの区分、色の判別が可能となり、刺繍された数字３を盛り上がらせることにより手で触るだけでの判読もできるものである。【選択図】      図１
0003161201.tif 000002
【実用新案登録請求の範囲】
【請求項１】
一対の靴下を構成する左右の靴下本体の一部分にそれぞれ同一の数字が刺繍され、当該数字は、前記靴下本体と形状及び柄が同一であり、販売する時期の異なる他の対の靴下の靴下本体に刺繍された数字とは異なる数字が刺繍されていることを特徴とする靴下。
【請求項２】
前記数字が、靴下本体を形成する生地よりも盛り上がって形成されていることを特徴とする請求項１に記載の靴下。
【請求項３】
前記数字が、靴下本体の側面中央上部、又は靴下本体の内面の足挿入口付近に付されていることを特徴とする請求項１または請求項２に記載の靴下。
【請求項４】
前記付された数字の色と靴下本体の色とが一意に対応していることを特徴とする請求項１から請求項３のいずれかに記載の靴下。
【考案の詳細な説明】
【技術分野】
【０００１】
本考案は、靴下に関し、特に、新旧等の判読が可能な靴下に関する。
【背景技術】
【０００２】
従来の靴下には左右の区別を行いやすくするために、一方の靴下の裏側に印部を備えたものがある（特許文献１）。また、靴下のサイズの判読を行いやすくするために、靴下の裏側の編糸の色を変えて備えたものがある（特許文献２）。以下従来の靴下の裏側に印部を備えた考案（特許文献１）について説明する。
【０００３】
前記特許文献１には、「靴下」という名称で、左右いずれか一方の靴下に視認可能な印部を有する靴下に関する考案が開示されている。
この特許文献１に開示された考案は、左右いずれか一方の靴下の足挿入口から２ｃｍ以内の裏側に印部が設けられたものである。
この靴下では、左右いずれか一方の靴下に設けられた印部により、左右の区別が可能となる効果が得られる。また、前記印部は靴下の裏側に設けられていることにより、デザインに影響を及ぼすことのない靴下を提供することができる。
【先行技術文献】
【特許文献】
【０００４】
【特許文献１】実用新案登録第３１３４７４７号公報
【特許文献２】実開平６−３７３０４
【考案の概要】
【考案が解決しようとする課題】
【０００５】
しかしながら、前記した従来の印部を有する靴下では、印部により左右の区別は可能となるが、靴下の新旧の判読、色の区分の判読などは考慮されていない。また、手触りにより組合せを判読することも不可能であった。
【０００６】
本考案は、前記した従来技術の問題点に鑑みて、使用期間などが分かる新旧、又は、多くの同じ靴下の中での組合せ、若しくは似通った色の区分、並びに手触りによる区分を判読できるようにした靴下を提供することを目的とするものである。
【課題を解決するための手段】
【０００７】
前記目的を達成するため、本考案に係る靴下は、一対の靴下を構成する左右の靴下本体の一部分にそれぞれ同一の数字が刺繍され、当該数字は、前記靴下本体と形状及び柄が同一であり、販売する時期の異なる他の対の靴下の靴下本体に刺繍された数字とは異なる数字が刺繍されていることを特徴とする。
このような構成の靴下によれば、刺繍された数字の番号は、使用者に購入時期による新旧、並びに靴下の組合せが判読可能となる。
【０００８】
また、本考案に係る靴下は、前記数字が、靴下本体を形成する生地よりも盛り上がって形成されていることが好ましい。
このような構成の靴下によれば、刺繍された数字の盛り上がりは、使用者が手触りだけで数字を判読できるように作用する。
【０００９】
そして、本考案に係る靴下は、前記数字が、靴下本体の側面中央上部、又は靴下本体の内面の足挿入口付近に付されていることが好ましい。
このような構成の靴下においては、前記数字を靴下本体の側面中央上部に形成すると、数字自体がデザイン性を有し、数字が見え易いという作用を有する。また、数字はズボンの裾で隠れるので、靴下の着用時に数字が目立たない。
さらにまた、前記数字が靴下本体の内面の足挿入口付近に形成することによっても、前記数字が靴下を着用している際には目立たず、他人に靴下の新旧等を判読しているということを悟られないという作用を有する。
【００１０】
また、本考案に係る靴下は、前記数字の色と靴下本体の色とが一意に対応するように形成されていても好ましい。例えば、靴下本体の生地の色が黒色ならば、前記数字の色は赤色を用い、前記生地の色が濃紺色ならば、前記数字の色は黄色を用いる。
このような構成の靴下によれば、見分けの難しい靴下本体の色の区別を、使用者が数字の色で判読できるという作用を有する。
【考案の効果】
【００１１】
本考案によれば、靴下に刺繍された数字が、販売の時期により異なるために、使用者が使用する靴下の新旧を前記数字により容易に判読することができる。
そして、使用者が靴下を畳む際、同じ前記数字の組み合わせを選べばよく、左右の靴下の組み合わせの判読が容易にできる。
【００１２】
また、本考案に係る靴下の数字は、靴下本体の生地よりも盛り上がって形成されているため、手触りによる数字の判読も可能となり、視覚に障害を持つ者や認知症を患う者でも前記新旧の判読も可能となる。
【００１３】
本考案は、前記数字の刺繍を靴下本体側面の中央上部に形成してもよく、これにより、刺繍された数字自体がデザイン性を有する靴下にすることができる。
また、前記数字は、靴下本体の内側の足挿入口付近に形成してもよく、これにより、前記数字の存在を目立たなくすることができる。
【００１４】
また、本考案に係る靴下は、前記数字の色と靴下本体の色とが一意に対応していることにより、見分けの難しい靴下本体の色の区別を、使用者が数字の色で判読できる。
【図面の簡単な説明】
【００１５】
【図１】本考案に係る靴下１の外形図である。
【図２】図１において数字の「１」が形成された数字３付近の靴下１を、数字３の中央部を縦方向に切断した拡大縦断面図である。
【図３】本考案に係る靴下１の数字の配置可能な位置を示した外形図である。
【図４】数字３周辺を拡大した斜視図である。
【図５】本考案に係る靴下１の使用状態を示す図である。
【考案を実施するための形態】
【００１６】
以下、図面を参照にしながら本考案の実施形態について詳しく説明する。
【００１７】
図１は、本考案に係る靴下１の外形図である。前記数字３は、靴下本体２の側面中央上部４に付されている。
【００１８】
本考案で示される靴下１は、靴下本体２と、刺繍された数字３からなる。この時、前記数字３は販売する時期によって異なる数字３の靴下１を購入できるように、例えば、１から１０までの異なる数字３が刺繍された靴下１の組み合わせを用意する。また、前記数字３は順序をもつ記号ならよく、ＡからＸまでのアルファベット記号やＩ、ＩＩ、ＩＩＩ・・・のローマ数字を用いてもよい。
【００１９】
また、前記数字３の色で、靴下本体２の色の区分が判読可能となるように、前記数字３の色と靴下本体２の色とが一意に対応するように製造する。例えば、黒色の靴下本体２には、赤色の刺繍糸で数字３を刺繍し、濃紺色の靴下本体２には黄色の刺繍糸で数字３を刺繍するようにする。
【００２０】
前記数字３を判読することにより、靴下１の左右の組み合わせの区別、靴下１の使用期間などの新旧の判別、紛らわしい色の複数の靴下の中での同一の色の靴下の判別が容易にできる。さらに、前記側面中央上部４に刺繍された数字３自体がデザイン性を帯びることにより、靴下自体のデザインによい影響を与えることが可能である。
【００２１】
図２は、図１において数字の「１」が形成された数字３付近の靴下１を、数字３の中央部を縦方向に切断した拡大縦断面図である。前記数字３を靴下本体２の側面中央上部４に形成したものの一例を示す。
図２において、前記靴下本体２の生地から編糸が刺繍され前記数字３が膨出している。前記膨出を形成する膨らみ部５は、手で触ることによる判読を可能にする。視覚に障害を持つ者や認知症を患う者などが靴下１の組み合わせを判読する際、図４に示すように前記数字３の膨らみ部５による判読が可能となり、より容易に靴下を畳んだり、使用する靴下を選んだりできる。
【００２２】
図３は、本考案に係る靴下１の数字３の配置可能な位置を示し、靴下本体２の内面６の足挿入口付近に数字３を刺繍した場合の一例を示す外形図である。靴下本体２の内側の足挿入口から４ｃｍ以内に数字３を刺繍するのが好ましい。
【００２３】
図３に示した位置に刺繍された数字３は、靴下本体２の柄や模様のデザインに影響を与えることがなく、靴下１のデザインを自由に設定できる。また、前記数字３が他人に見られにくい位置に配置されていることにより、他人に新旧等を判読していると悟られることがない。
【００２４】
このように構成された本考案の靴下１は、使用者が同じ形状及び柄を有する靴下を繰り返し購入して使用する場合、購入した時期により刺繍された数字３が変わるので、新旧の見分けが容易に付くことが可能となる。
また、複数の同じ靴下を同時に洗濯した場合に、刺繍された数字３から判読することにより、同じ数字３を有する靴下本体２同士を組み合わせることで簡単に組み合わせを判断できる。
そして、靴下本体２の色と刺繍された数字３の色を一意に対応させることにより、見分けが難しい２色、例えば黒色と濃紺色などを、前記数字３で判読することにより、容易に見分けられる。
さらにまた、前記数字３の刺繍による膨らみ部５により、手で触ることによる靴下１の判読が可能となり、同じ靴下の組み合わせや、靴下の新旧の判読がより容易にできる。
【００２５】
靴下本体２の側面中央部４に数字３が形成された靴下１は、図５に示すように使用中はズボンの裾に隠れるので、数字３を目立たせることなく使用することができる。
【符号の説明】
【００２６】
１    靴下
２    靴下本体
３    数字
４    側面中央上部
５    膨らみ部
６    内面
【図１】
0003161201.tif 000003
【図２】
0003161201.tif 000004
【図３】
0003161201.tif 000005
【図４】
0003161201.tif 000006
【図５】
0003161201.tif 000007